(57)【特許請求の範囲】
【請求項１】
引出し（９０）、特に引出し側壁（９２）に正面パネル（９３）を着脱可能に固定する固定装置（１）であって、
・前記正面パネル（９３）に前組付け可能な少なくとも１つの家具側金具（９４）と、
・前記引出し（９０）に対応付けされた掛止装置（２）であって、前記家具側金具（９４）を押し込む際に該家具側金具（９４）を自動的に保持し、かつ可動の掛止要素（２０）を有する、掛止装置（２）と、
・当該固定装置（１）からの前記家具側金具（９４）の不意の脱落を阻止するロッキング装置（３）と、
を備える固定装置において、
前記ロッキング装置（３）は、前記掛止要素（２０）とは別個の可動のロッキング要素（３０）を有し、該ロッキング要素（３０）は、ロックされた位置で、前組付け可能な前記家具側金具（９４）に当接し、
前記掛止要素（２０）と、別個の前記ロッキング要素（３０）とは、あらゆる位置で運動結合されており、前記掛止要素（２０）の運動と前記ロッキング要素（３０）の運動との結合は、前記掛止要素（２０）に固定された調整要素（５）を介して行われ、該調整要素（５）は、前記ロッキング要素（３０）に設けられた空所（３２）に係合することを特徴とする、引出し（９０）に正面パネル（９３）を着脱可能に固定する固定装置（１）。
【請求項２】
前記ロッキング要素（３０）は、ロックされた位置で、楔面（３１）でもって、前組付け可能な前記家具側金具（９４）に当接する、請求項１記載の固定装置（１）。
【請求項３】
前記ロッキング要素（３０）は、前組付け可能な前記家具側金具（９４）を介して前記正面パネル（９３）を、ロックされた位置で、ばね荷重を掛けて前記引出し（９０）へ向けて押圧する、請求項１または２記載の固定装置（１）。
【請求項４】
前記正面パネル（９３）に前組付け可能な前記家具側金具（９４）は、横ピン（９５）を有し、前記ロッキング要素（３０）は、ロックされた位置で、前記家具側金具（９４）の前記横ピン（９５）に当接する、請求項１から３までのいずれか１項記載の固定装置（１）。
【請求項５】
前記掛止要素（２０）は、所定の回動軸線（Ａ）を中心に回動可能に軸支されている、請求項１から４までのいずれか１項記載の固定装置（１）。
【請求項６】
前記ロッキング要素（３０）は、ガイド軌道（４１）において、直線運動可能に案内されており、前記ロッキング要素（３０）に対する前記ガイド軌道（４１）は、当該固定装置（１）への、前記正面パネル（９３）に前組付け可能な前記家具側金具（９４）の押込み方向（Ｘ）に対して横方向に延在する、請求項１から５までのいずれか１項記載の固定装置（１）。
【請求項７】
前記掛止要素（２０）は、蓄力器（６）により荷重が掛けられた回動レバー（２１）と、蓄力器（６）により荷重が掛けられた引込レバー（２２）とを有し、前記回動レバー（２１）は、前記掛止要素（２０）を回動させ、前記引込レバー（２２）は、前記家具側金具（９４）を、引込み動作中にばね荷重を掛けて前記引出し（９０）へ向けて引っ張る、請求項１から６までのいずれか１項記載の固定装置（１）。
【請求項８】
前記ロッキング要素（３０）に設けられた前記空所（３２）は、カーブした、または真っ直ぐな、または階段状の長孔として構成されている、請求項１から７までのいずれか１項記載の固定装置（１）。
【請求項９】
前記ロッキング要素（３０）には、前記調整要素（５）を介して、前記掛止要素（２０）に作用する蓄力器（６）により、力を掛けることが可能である、請求項１から８までのいずれか１項記載の固定装置（１）。
【請求項１０】
当該固定装置（１）は、前記家具側金具（９４）に対する導入軌道（４２）を有し、該導入軌道（４２）は、ほぼ真っ直ぐな延在形状を有し、前記ロッキング装置（３）は、前記家具側金具（９４）を、前記導入軌道（４２）に沿った少なくとも２つの異なる位置で、不意に脱落しないように自動的に保持し、前記ロッキング装置（３）は、前記家具側金具（９４）を少なくとも部分的に、前記導入軌道（４２）に沿って不意に脱落しないように保持する、請求項１から９までのいずれか１項記載の固定装置（１）。
【請求項１１】
当該固定装置（１）は、前記ロッキング装置（３）に対するロック解除装置（７）を有し、該ロック解除装置（７）は、当該固定装置（１）からの前記家具側金具（９４）の意図的な脱落を可能にし、前記ロック解除装置（７）は、前記ロッキング要素（３０）を、前記家具側金具（９４）から持ち上げて、前記家具側金具（９４）を解放し、前記ロック解除装置（７）は、離脱部材（７１）を有し、該離脱部材（７１）は、ロック解除された前記家具側金具（９４）の離脱を可能にし、前記離脱部材（７１）は、前記掛止要素（２０）と一緒に回動して、これにより前記家具側金具（９４）を引出し（９０）から離脱させる、請求項１から１０でのいずれか１項記載の固定装置（１）。
【請求項１２】
前記ロック解除装置（７）は、外側から工具によってアクセス可能な工具受け部（７２）を有し、該工具受け部（７２）を介して、前記ロック解除装置（７）および／または前記離脱部材（７１）が作動可能である、請求項１１記載の固定装置（１）。
【請求項１３】
当該固定装置（１）は、前記正面パネル（９３）に対する高さ位置調整装置（８２）および／または側方位置調整装置（８３）を有する、請求項１から１２までのいずれか１項記載の固定装置（１）。
【請求項１４】
引出し側板（９１）と、正面パネル（９３）と、請求項１から１３までのいずれか１項記載の、引出し（９０）に前記正面パネル（９３）を着脱可能に固定する少なくとも１つの固定装置（１）とを備える、引出し（９０）。
【請求項１５】
請求項１４記載の少なくとも１つの引出し（９０）を備える家具（９）。
【発明の詳細な説明】
【技術分野】
【０００１】
本発明は、請求項１の上位概念に記載の構成を有する、引出しに正面パネルを着脱可能に固定する固定装置、少なくとも１つのそのような固定装置を備える引出し、および少なくとも１つのそのような引出しを備える家具に関する。
【０００２】
従来技術において、引出しに正面パネルを着脱可能に固定する固定装置は、多くの構成で知られている。欧州特許文献である欧州特許第０７４０９１７号明細書（EP 0 740 917 B1）において、たとえば引出しに正面パネルを固定する装置が公知であり、この装置では、正面パネルまたはその金具部分が、ばね荷重が掛けられた掛止部により、自動的に引出し側板と係合可能である。掛止部に正面パネルを組み付けた状態で、掛止部の切欠きに係合する掛け具が設けられている。しかしこの場合、使用者により及ぼされる力によって引出しが作動させられる際に、正面パネルが引出し側板に対して相対的なわずかな傾動運動を行うことが依然として生じ得る。しかも、この引出し操作時の傾動運動は、所望されていない。というのも、この傾動運動が実質的に引出しの移動の遅延をもたらしてしまうからである。
【０００３】
国際公開第２０１２／１５９１３９号（WO 2012 159 139 A1）は、たとえば可動の掛止要素を有する掛止装置を備える、引出しに正面パネルを着脱可能に固定する固定装置が記述されている。掛止要素は、正面パネルに前組付けされた家具側金具を押し込む際に、家具側金具を自動的に保持し、この場合、掛止装置に対するロッキング装置が設けられており、掛止装置は、ガイド軌道において可動で、かつ掛止要素に当接する調整体を用いて、掛止要素をロックする。
【０００４】
発明の課題は、従来技術に対して改善された、引出しに正面パネルを着脱可能に固定する固定装置を提供することである。
【０００５】
この課題は、請求項１の特徴を有する固定装置により解決される。本発明の好適な態様は、従属請求項に定義されている。
【０００６】
ロッキング装置が、掛止要素とは別個の可動のロッキング要素を有し、ロッキング要素は、ロックされた位置で、前組付け可能な家具側金具に当接することにより、個々の要素の最適な成形を可能にすることができる。掛止要素とロッキング要素とが別個に構成されていることにより、掛止要素とロッキング要素とは、それぞれ生じる力に合わせて最適化して成形することができ、これにより、個々の構成部材のそれぞれのサイズの縮小をもたらすこともできる。ロッキング要素が可動に構成されていることにより、固定装置における、正面パネルに前組付け可能な家具側金具の固定を簡単化することができる。というのも、ロッキング要素を固定装置の内側で家具側金具の位置に適合させることができるからである。ロッキング要素が、ロックされた位置で、前組付け可能な家具側金具に当接することにより、家具側金具を、固定装置から不意に脱落しないように確保することができる。固定装置への家具側金具の引込みまたは固定装置からの家具側金具の押出しを簡単化することができる。というのも、ロッキング要素が、ロックされていない位置で、この運動を妨げないからである。ロッキング要素が、ロックされた位置で、前組付け可能な家具側金具に当接することにより、引出しに正面パネルを固定するのに必要な補助力の少なくとも一部をロッキング要素により吸収することができる。
【０００７】
ロッキング要素が、ロックされた位置で、楔面でもって、前組付け可能な家具側金具に当接することにより、ロッキング要素と前組付け可能な家具側金具との間の接触面の特に好適な成形を達成することができる。さらに楔面の形成により、保持力の提供を簡単化することができる。楔面による当接により、固定装置への家具側金具の押込み方向とは逆向きの固定装置における家具側金具のロックが得られ、しかも押込み方向の方向での家具側金具のさらなる押込みが引き続き可能であることも達成することができる。
【０００８】
ロッキング要素が、前組付け可能な家具側金具を介して正面パネルを、ロックされた位置で、ばね荷重を掛けて引出しへ向けて押圧することにより、ロッキング要素により、引出しに正面パネルを固定するのに必要な保持力を提供することができるので、正面パネルに前組付け可能な家具側金具は、固定装置により保持されるだけではなく、能動的に固定装置に引き込まれる。前組付け可能な家具側金具が、ばね荷重が掛けられて引出しへ押し込まれることにより、簡単で、低コストでかつ低摩耗に少なくとも１つのばねの態様の蓄力器を提供することができる。
【０００９】
正面パネルに前組付け可能な家具側金具が、横ピンを有し、ロッキング要素が、ロックされた位置で、家具側金具の横ピンに当接することにより、ロッキング要素を介して家具側金具への保持力の効率的な力伝達を達成することができる。家具側金具の横ピンにロッキング要素が当接することにより、ロックされた位置で、実質的に一箇所で係合を行うことができるので、これにより、効率的なロックを可能にすることができる。したがって、ロックに用いられる、家具側金具におけるロッキング要素の後方からの係合を容易に行うこともできる。
【００１０】
掛止要素が、所定の回動軸線Ａを中心に回動可能に軸支されていることにより、掛止要素の運動の簡単な案内を可能にすることができる。これにより、固定装置内への家具側金具の押込みまたは固定装置から外方への家具側金具の押出しが進行する際に掛止要素の簡単な後調整が可能となる。
【００１１】
ロッキング要素が、ガイド軌道において、好適には直線運動可能に案内されていることにより、簡単な手段により達成可能であるガイドの技術的に簡単な形状を実現することができる。ガイド軌道における可動のガイドにより、正面パネルに前組付け可能な家具側金具をロックするのに必要でありかつロックするために生じる力も良好に固定装置により吸収することができる。さらに、好適には真っ直ぐに延在するガイド軌道により、ロック解除された位置からロックされた位置への、またはその逆のロッキング要素の短い調整距離を達成することができる。
【００１２】
ロッキング要素に対するガイド軌道が、固定装置への、正面パネルに前組付け可能な家具側金具の押込み方向Ｘに対して横方向に延在することにより、押込み方向とは逆向きに生じる力を特に良好にロッキング要素により吸収することができる。この場合、押込み方向は、家具側金具に対する、場合により生じる導入軌道に沿って延在してよい。家具側金具の押込み方向に対して横向きの、ロッキング要素に対するガイド軌道の実現可能な延伸経過は、たとえば、ロッキング要素に対するガイド軌道が前組付け可能な家具側金具の押込み方向に対して直角に延在していることにより得られる。
【００１３】
掛止要素が、蓄力器により、好適には少なくとも１つのばねにより荷重が掛けられた回動レバーと、蓄力器により、好適には少なくとも１つのばねにより荷重が掛けられた引込レバーとを有し、回動レバーが、掛止要素を回動させ、引込レバーが、家具側金具を、引込み動作中にばね荷重を掛けて引出しへ向けて引っ張ることにより、掛止要素を特に好適に一体的に構成することができる。掛止要素を回動レバーにより回動することができることにより、掛止要素は、一方では固定装置への家具側金具の押込みに際して家具側金具との接触により回動させて、これにより引込み動作を生じさせることができる。この場合、掛止要素の引込レバーは、家具側金具の部分に作用して、この部分を、自動的にばね荷重を掛けて固定装置に引き込むことができる。回動レバーと引込レバーとのばね荷重が掛けられた態様により、回動レバーおよび引込レバーは、家具側金具と相俟って、特定の位置に保持することや特定位置に押し込むこともできる。引込み動作に際して、家具側金具を、引込レバーを用いて自動的に固定装置に、家具側金具がロックされた位置に位置するまで引き込むことができる。この場合、場合により生じる固定装置からの家具側金具の離脱運動時に、蓄力器から提供することもできる、家具側金具の離脱に必要な力を家具側金具へ伝達するという役割を回動レバーに与えることができる。
【００１４】
掛止要素と別個のロッキング要素とが、好適にはあらゆる位置で運動結合されていることにより、掛止要素の位置と別個に形成されたロッキング要素の位置とを互いに所定のように関連付けさせることができる。したがって、たとえば予め設定された空間方向に沿ってだけ掛止要素とロッキング要素との間に力伝達が生じ得ることを達成することもできる。掛止要素とロッキング要素とのあらゆる位置での運動結合により、ロックされた位置への引込み動作の間や場合により生じる離脱運動の間の掛止要素の運動とロッキング要素との運動とが互いに結合されてよい。
【００１５】
掛止要素の運動とロッキング要素の運動との結合が、掛止要素に固定された調整要素を介して行われ、調整要素が、ロッキング要素に設けられた空所に係合することにより、ロッキング要素と掛止要素との、技術的に容易で、直接的でかつ摩擦および摩耗の少ない運動結合を達成することができる。掛止要素が調整要素に固定されていることにより、特に効率的な結合を実現することができる。ロッキング要素に設けられた空所に調整要素が掛合することにより、たとえば回動運動を直線運動に伝達する態様の運動結合も技術的に容易に行うことができる。
【００１６】
ロッキング要素に設けられた空所が、カーブした、真っ直ぐなまたは階段状の長孔として構成されていることにより、ロッキング要素と掛止要素との間の、方向に応じた力結合を実現することができる。これにより、技術的に容易に運動の結合の伝達を生じさせることができる。
【００１７】
ロッキング要素には、調整要素を介して、掛止要素に作用する蓄力器により、好適には少なくとも１つのばねにより、力を掛けることが可能であることにより、掛止要素の運動とロッキング要素の運動とを、個々の蓄力器を起点としてサポートすることができる。したがって、たとえば個々のばねがロッキング要素と掛止要素とに作用することを達成することができ、これにより、構成部材数の減少ひいては固定装置に関する製造コストの削減が得られる。これにより、構造サイズひいては引出し内に必要な固定装置のためのスペースを縮小することもできる。
【００１８】
固定装置が、家具側金具に対する導入軌道を有し、導入軌道が、ほぼ真っ直ぐな延伸経過を有し、ロッキング装置が、家具側金具を、導入軌道に沿った少なくとも２つの異なる位置で、不意に脱落しないように自動的に保持することにより、固定装置における家具側金具の簡単化された組付けひいてはこの動作に関する作業上の手間の低減を実現することができる。真っ直ぐな延伸経過を有する導入軌道は、特に容易に組付け可能な固定装置の構成を可能にすることができる。ロッキング装置が、家具側金具を、導入軌道に沿った少なくとも２つの異なる位置で不意に脱落しないように保持することにより、引出しの内側に固定装置のための少なくとも２つの異なる組付け位置が得られる。
【００１９】
ロッキング装置が、家具側金具を、少なくとも部分的に導入軌道の任意の複数の位置で不意に脱落しないように保持することにより、引出しまたは固定装置の製造公差および引出し内の固定装置の様々な組付け位置を特に容易に補整することができる。さらに、固定装置における家具側金具の固定を、使用者による追加的な調整なく行うことができ、これにより組付けにかかる追加的な時間およびコストを削減することができる。
【００２０】
固定装置が、ロッキング装置に対するロック解除装置を有し、ロック解除装置が、当固定装置からの家具側金具の意図的な脱落を可能にし、ロック解除装置が、ロッキング要素を、家具側金具から持ち上げて、家具側金具を解放することにより、固定装置からの家具側金具の意図的な離脱を可能にすることができ、その際、固定装置が破損されることがない。ロック解除装置によりロッキング要素を家具側金具から持ち上げることができることにより、家具側金具を離脱させるために、家具側金具にもはや保持力が掛けられず、したがって家具側金具を容易にかつ破損なく固定装置から取り外すことができる。
【００２１】
ロック解除装置が、離脱部材を有し、離脱部材が、ロック解除された家具側金具の離脱を可能にし、離脱部材が、掛止要素と一緒に回動して、これにより家具側金具を引出しから離脱させることにより、掛止要素の回動レバーに２つの機能を与えることができ、これにより、構成部材数が低減された、より小さな寸法の固定装置を実現することができる。
【００２２】
ロック解除装置が、工具に対する、外側からアクセス可能な工具受け部を有し、工具受け部を介して、ロック解除装置および／または離脱部材が作動可能であることにより、ロック解除装置の作動時に使用者が損傷する危険性を低減し、その上ロック解除装置の簡単で迅速な作動を可能にする。
【００２３】
固定装置が、正面パネルに対する高さ位置調整装置および／または側方位置調整装置を有することにより、引出し側板に対して相対的な、家具側金具に前組付け可能な正面パネルの高さ位置調整および／または側方位置調整を実現することができ、したがって固定装置の特に好適で多様な構成を達成することができる。
【００２４】
引出し側板と、正面パネルと、前述の態様のうちの少なくとも１つの態様に基づく、引出しに正面パネルを着脱可能に固定する少なくとも１つの固定装置とを備える引出しに対しても権利保護が請求される。そのような引出しは、特に容易な組付け性と、引出しを形成する部分の特に小さな所要スペースによる固定装置のコンパクトな寸法とにおいて優れている。
【００２５】
具体的には、少なくとも１つの記述の引出しを備える家具に対しても権利保護が請求される。そのような家具は、特に容易な組付け性と特に良好なスペース利用とにおいて優れている。
【００２６】
以下に、本発明の別の詳細および利点を、図示された態様に関する図面の説明に基づいて詳説する。
【図面の簡単な説明】
【００２７】
【図１ａ】引出しを有する家具の斜視図である。
【図１ｂ】引出しの斜視図である。
【図２ａ】引出しの側壁の斜視図である。
【図２ｂ】被覆部が取り除かれた引出しの側壁の斜視図である。
【図３】固定装置の分解斜視図である。
【図４ａ】固定装置および家具側金具の正面側の側方斜視図である。
【図４ｂ】固定装置および家具側金具の背面側の側方斜視図である。
【図５ａ】家具側金具の押込み、摺動およびロックの間の様々な状態における固定装置の側面図である。
【図５ｂ】家具側金具の押込み、摺動およびロックの間の様々な状態における固定装置の側面図である。
【図６ａ】家具側金具の押込み、摺動およびロックの間の様々な状態における固定装置の側面図である。
【図６ｂ】家具側金具の押込み、摺動およびロックの間の様々な状態における固定装置の側面図である。
【図７ａ】家具側金具の押込み、摺動およびロックの間の様々な状態における固定装置の側面図である。
【図７ｂ】家具側金具の押込み、摺動およびロックの間の様々な状態における固定装置の側面図である。
【図８ａ】家具側金具の押込み、摺動およびロックの間の様々な状態における固定装置の側面図である。
【図８ｂ】家具側金具の押込み、摺動およびロックの間の様々な状態における固定装置の側面図である。
【００２８】
図１ａは、引出し９０が部分的に開いた家具９の斜視図を示している。図１ｂから分かるように、引出し９０は、この家具９では、引出し側板９１と、引出し側壁９２に固定された正面パネル９３とを有する。
【００２９】
図２ａは、引出し側壁９２の詳細斜視図を示している。この引出し側壁９２では、端面側で、ここでは図示されていない正面パネル９３に組み付けるために設けられた家具側金具９４が、引出し側壁９２の内部から外へ突出している。図２ｂには、被覆部が取り除かれ、これにより固定装置１がそこに固定された家具側金具９４とともに看取可能である、引出し側壁９２の斜視図が示されている。
【００３０】
図３は、家具側金具９４とともに固定装置１の分解斜視図を示している。図３において、固定装置１のベースプレート８０および保持プレート８１が認められる。ベースプレート８０は、主に、保持プレート４に保持される掛止装置２とロッキング装置３とに対するハウジングを形成する。ハウジングの部分を形成する保持プレート８１に対する、前述の装置２，３を保持する保持プレート４の固定は、固定装置１の組み立てられた状態で、保持プレート８１に係合する高さ位置調整装置８２および側方位置調整装置８３を介して行われる。さらに図３において、本態様ではばね６１とばねガイド６２とにより形成された蓄力器６が示されており、蓄力器６は、固定装置１の組み立てられた状態で、同様に保持プレート４に取り付けられていて、掛止装置２の掛止要素２０に作用する。掛止装置２の掛止要素２０は、軸線Ａを中心に回動可能に保持プレート４に軸支されている。掛止要素２０は、掛止要素２０の回動に用いられる回動レバー２１と、掛止要素２０の回動時に家具側金具９４の引込みに用いられる引込レバー２２とを有する。本態様では、さらに、ロック解除装置７が、機能的に掛止要素２０に、工具受け部７２を介して操作可能な離脱部材７１の態様で構成されており、この場合、離脱部材７１は、構造的に回動レバー２１に一致する。
【００３１】
保持プレート４は、図示の方向では前面と称される、掛止要素２０に対向する面で、回動可能な掛止要素２０を軸支するのに適切な成形部を有する。さらに、保持プレート４における相応の加圧成形部により、保持プレート４に、後面側で保持プレート４に案内された、ロッキング装置３のロッキング要素３０に対するガイド軌道４１が形成されてよい。この場合、保持プレート４に設けられたガイド軌道４１の相応の突出部は、本態様では真っ直ぐにかつ垂直に延在するガイド孔３３に係合し、その際、ロッキング要素３０は、同時にガイド軌道４１のフィンガ状の加圧成形部により後方から係合されてもよい。そのように案内されるロッキング要素３０は、固定装置１の組付け可能状態で、掛止要素２０と固く結合されたピン状の調整要素５を介して、掛止要素２０と運動結合式に結合されている。この場合、保持プレート４は、掛止要素２０の回動運動を制限するためのストッパとして用いてもよい、本態様ではほぼ円弧状に延在する、相応に成形された貫通部を備える。ロッキング要素３０には、掛止要素２０と一緒に回動する調整要素５の係合のために空所３２が設けられており、空所３２は、本態様では、ロッキング要素３０の垂直の位置調整方向に対して直角の、つまり水平に延在する長孔の形状を有する。家具側金具９４の横ピン９５に接触するために、ロッキング要素３０に、固定装置１のロックされた位置で横ピン９５に後方から係合する楔面３１を有する部分が形成されている。この楔面３１は、押込み方向Ｘ（参照図５ａ）とは逆向きに下向きに延びる延在形状を有する。家具側金具９４の横ピン９５の押込み運動を案内するために、保持プレート４は、導入軌道４２を有する。
【００３２】
図４ａは、固定装置１の一態様の前述の記載で定義された前面の側方斜視図を示している。この側方斜視図において、まず、横ピン９５を有する、ここでは図示されていない正面パネル９３に前組付け可能な家具側金具９４が認められる。さらに、回動レバー２１と、引込レバー２２と、工具受け部７２と、調整要素５の部分とを有する、回動可能な掛止要素２０が図示されている。掛止要素２０の位置は、図４ａでは、開放位置または家具側金具９４が完全に離脱された位置に相応する。この場合、掛止要素２０には、ばね６１を有する蓄力器６からばねガイド６２を介して力が掛けられる。この場合、この力の作用線は、図４ａの描画では、回動軸線Ａの下側で延在し、つまり掛止要素２０は、開放位置に保持される。ロッキング要素３０は、固定装置１のこの位置では、図４ｂからも看取されるように、ガイド軌道４１に沿って上側の終端位置にほぼ相応する位置にある。図４ｂに示された、固定装置１の背面図において、ロッキング要素３０に対するガイド軌道４１を形成する成形部およびロッキング要素３０のガイド孔３３への部分的な成形部の係合が看取される。これにより、ロッキング要素３０は、真っ直ぐに延在するガイド軌道４１において案内され、押込み方向Ｘ（参照図５ａ）にまたは押込み方向Ｘとは逆向きに運動しないように確保される。固定装置１のこの開放位置では、ロッキング要素３０の楔面３１は、横ピン９５に対する導入軌道４２と重複する領域を有しない。
【００３３】
図５ａには、すでに図４ａに示された、固定装置１の開放位置の側面図が示されており、図５ａおよび以下の面において、図面を見やすくするために、家具側金具９４の横ピン９５だけが示されている。ロッキング要素３０または掛止要素２０は、図５ａおよび以下の図面において、要素２０，３０の協働を分かりやすくするために、正面図または背面図において透視して示されている。完全には図示されていない家具側金具９４の横ピン９５の、ガイド軌道４１の延在方向とほぼ一致する押込み方向Ｘは、それぞれ矢印により示唆されている。
【００３４】
図６ａは、横ピン９５が部分的に導入軌道４２に押し込まれた固定装置１を示している。押込み方向Ｘに作用し、正面パネル９３に前組付け可能な家具側金具９４（ここでは図示されていない）の組付け時にまず使用者により回動レバー２１に及ぼされる力によって、掛止要素２０が回動させられ、その際、ここに図示されているように、蓄力器６から掛止要素２０に及ぼされるばね力の作用線は、回動軸線Ａ（参照図４ａ）の上へもたらされ、つまり掛止装置２の死点を越える。掛止要素２０の回動時に掛止装置２の死点の通過が行われると、固定装置１への横ピン９５の自動的な引込み動作が導入される。横ピン９５が保持プレート４に形成された導入軌道４２に載置することにより、引込レバー２２の回動によって、横ピン９５を、これにばね荷重を掛けて、導入軌道４２に沿って固定装置内へ送り込むことができる。掛止要素２０と一緒に回動させられる調整要素５がロッキング要素３０の空所３２に係合し、その際、調整要素５は、ロッキング要素３０に対して相対的に水平の長孔として形成された空所３２に沿って運動することができることにより、掛止要素２０の回動運動は、本態様では垂直の、ロッキング要素３０の直線運動へ伝達される。固定装置１のこの位置の、図６ｂに示された背面図においても看取されるように、ロッキング要素３０は、部分的に回動させられる掛止要素２０との運動結合を介して、ある程度ガイド軌道４１に沿ってロックされた位置へ向けて運動されている。横ピン９５のさらなる押込みだけではなく、ロック解除装置７を作動させる必要のない離間も、固定装置１のこの位置では依然として可能である。
【００３５】
図７ａは、横ピン９５がばね荷重が掛けられた引込レバー２２によりさらに導入軌道４２に沿って固定装置１に引き込まれた、固定装置１の位置を示している。この場合、掛止要素２０は、引込レバー２２が依然として横ピン９５に当接する範囲で回動させられ、ロッキング要素３０は、運動結合を介して、その楔面３１が横ピン９５に当接するまで一緒に送られる。ロック解除装置７の作動は、ほぼ押込み方向Ｘとは逆向きの離脱部材７１の回動と、これに関係するロッキング要素３０の持上げとに相応し、このロック解除装置７の作動により、ロッキング要素３０を作動させることなく、横ピン９５を、もはや押込み方向Ｘとは逆向きの簡単な引張り運動により固定装置１から離間させることはできない。したがって、図７ａおよび図７ｂには、固定装置１のロックされた位置が示されている。このロックされた位置は、押込み方向Ｘに見て、横ピン９５が、ひいてはここでは完全には図示されていない家具側金具９４が導入軌道４２に沿って不意に脱落しないように保持される領域内の最も外側の位置に相応する。図７ｂから看取されるように、横ピン９５は、固定装置１のこの最も外側（図面上右側）のロックされた位置において、さらにある程度導入軌道４２の端部から離間して位置し、つまり、押込み方向Ｘに沿った横ピン９５のさらなる押込みは依然として可能である。
【００３６】
図８ａでは、固定装置１内で導入軌道４２に沿って導入された横ピン９５がロックされた位置にある固定装置１が示されている。この場合、掛止要素２０は、以前の図面に対してさらに回動させられており、この場合、掛止要素２０と一緒に回動させられる調整要素５を介するロッキング要素３０との運動結合と、ロッキング要素３０の空所３２における調整要素５の係合とにより、ロッキング要素３０は、そのガイド軌道４１に沿ってさらに下方へ、つまり横ピン９５へ向けて摺動させられている。ロッキング要素３０は、このロックされた位置で、楔面３１でもって、横ピン９５に当接する。押込み方向に見て上向きの楔面３１の延在形状と、調整要素５を介してロッキング要素３０へ伝達される、掛止要素２０に掛かる蓄力器６のばね力の負荷とにより、横ピン９５は、さらにガイド軌道４１に沿って押込み方向Ｘに固定装置１内へ押し込まれる。たとえば、ここでは完全には図示されていない家具側金具９４を介して固定装置１と結合可能である、ここでは図示されていない正面パネル９３が、端面側で、固定装置１が収容されていてかつ組付け可能である引出し側壁９２（図示されていない）に衝突すると、可動部分の静止状態が生じる。したがって、たとえば図７ａおよび図７ｂに示されているように、導入軌道４２の外側の領域においてすでにロックされた位置で、楔面３１を有するロッキング要素３０の成形により、引込み動作の最後の部分が能動的にサポートされてよい。これにより、ロックされた位置では、たとえば使用者による、ここでは図示されていない引出し９０の、同様に図示されていない正面パネル９３を介して固定装置１へ伝達される開放運動によって、押込み方向Ｘとは逆向きに横ピン９５へ引張り力が及ぼされても、横ピン９５を、ロッキング要素３０によるロックによって、押込み方向Ｘとは逆向きに導入軌道４２に沿って運動させることはできない。この場合、横ピン９５に掛かる、押込み方向Ｘとは逆向きに作用する力が、楔面３１へ伝達され、その際、ロッキング要素３０に作用する合力の、ガイド軌道４１の方向で横方向に生じる部分、図示の態様では水平方向成分は、保持プレート４により、ひいては組付け位置で引出し側板９１と固く結合された固定装置１により吸収される。合力の、ガイド軌道４１の方向でロッキング要素３０に作用する成分、図示の態様では鉛直成分は、横ピン９５と楔面３１としてのロッキング要素３０との間に接触面が形成されることにより、ほとんど発生しない。この力は、蓄力器６により及ぼされ、調整要素５を介してロッキング要素３０へ伝達される力と、発生する、追加的に克服されるべき摩擦力とに対抗する。これにより、最終的に、固定装置１において横ピン９５の摩擦結合式のロックが生じ得る。引込レバーの、モーメントを掛止要素２０にほとんど発生させない成形に基づいて、引込レバー２２に掛かる、横ピン９５を押込み方向Ｘとは逆向きに引っ張る際に生じる力が、引込レバー２２がロックされた位置で依然として横ピン９５に当接する限り、固定装置１からの家具側金具９４の不意の脱落をもたらすこともない。
【００３７】
逆の順序で見て、図８ｂ〜図５ａにおいて、ロック解除装置７の作動による固定装置１からの横ピン９５の離脱が理解される。図８ａまたは８ｂに示された、ロックされた位置で、工具受け部７２を介して作用する工具により、掛止要素２０が押込み方向とは逆向きに回動させられると、これにより、ロッキング要素３０と掛止要素２０との運動結合により、ロッキング要素３０は、横ピン９５から持ち上げられ、離脱部材７１は、横ピン９５へ向けて運動する。この離脱部材７１は、次いで、図７ａおよび図７ｂに示されたように、横ピン９５に当接し、掛止要素２０がさらに回動し、これに伴いロッキング要素３０がさらに持ち上がると、横ピン９５を押込み方向Ｘとは逆向きに導入軌道４２に沿って摺動させることができる。最終的に、たとえば図６ａおよび図６ｂに示されたように、掛止要素２０が押込み方向とは逆向きにさらに回動することにより、横ピン９５を、導入軌道４２に沿ってさらに外方へ送り、図５ａおよび図５ｂに示されたように、導入軌道４２から取り出すことができる。
【図１ａ】
0006611831.tif 000002
【図１ｂ】
0006611831.tif 000003
【図２ａ】
0006611831.tif 000004
【図２ｂ】
0006611831.tif 000005
【図３】
0006611831.tif 000006
【図４ａ】
0006611831.tif 000007
【図４ｂ】
0006611831.tif 000008
【図５ａ】
0006611831.tif 000009
【図５ｂ】
0006611831.tif 000010
【図６ａ】
0006611831.tif 000011
【図６ｂ】
0006611831.tif 000012
【図７ａ】
0006611831.tif 000013
【図７ｂ】
0006611831.tif 000014
【図８ａ】
0006611831.tif 000015
【図８ｂ】
0006611831.tif 000016